(57)【要約】【解決手段】汚水処理装置は、活性汚泥を利用した曝気槽１と、曝気槽１に入るまでの汚水を処理する汚水流入設備２と、曝気槽１から出た混合液が直接的にまたは間接的に入る沈澱池３と、沈澱池３により処理された沈澱汚泥が入る汚泥処理設備４と、沈澱池３により処理された処理水が入る処理水流出設備５とを備えている。汚泥処理設備４にあっては沈澱池３から出た沈澱汚泥を貯溜する汚泥貯溜槽１１を備え、汚泥貯溜槽１１内の沈澱汚泥を減量汚泥として汚水流入設備２に戻す減量汚泥循環通路３１を備えている。沈澱池３から出た沈澱汚泥を抑制汚泥として汚水流入設備２に戻す抑制汚泥循環通路２８，２９を備えている。【効果】途中処理段階や最終処理段階で発生する各種汚泥を少なくして汚泥処理負担を軽減し得るので、汚水処理装置をより一層簡略化することができる。【選択図】図６
2005161314.tif 000002
【特許請求の範囲】
【請求項１】
活性汚泥を利用した曝気槽と、この曝気槽に入るまでの汚水を処理する汚水流入設備と、この曝気槽から出た混合液が直接的にまたは間接的に入る沈澱池と、この沈澱池により処理された沈澱汚泥が入る汚泥処理設備と、この沈澱池により処理された処理水が入る処理水流出設備とを備えた汚水処理装置おいて、前記汚泥処理設備にあっては前記沈澱池から出た沈澱汚泥を貯溜する汚泥貯溜槽を備え、この汚泥貯溜槽内の沈澱汚泥を減量汚泥として前記汚水流入設備に戻す循環通路を備えたことを特徴とする汚水処理装置。
【請求項２】
汚水流入設備から曝気槽に入った汚水を活性汚泥を利用して処理し、この曝気槽から出た混合液が直接的にまたは間接的に入る沈澱池により処理された沈澱汚泥を汚泥処理設備の汚泥貯溜槽で貯溜した後、この汚泥貯溜槽内の沈澱汚泥を減量汚泥として前記汚水流入設備に戻すことを特徴とする汚水処理方法。
【請求項３】
前記汚泥処理設備の汚泥貯溜槽内に空気を強制導入することを特徴とする請求項２に記載の汚水処理方法。
【請求項４】
活性汚泥を利用した曝気槽と、この曝気槽に入るまでの汚水を処理する汚水流入設備と、この曝気槽から出た混合液が直接的にまたは間接的に入る沈澱池と、この沈澱池により処理された沈澱汚泥が入る汚泥処理設備と、この沈澱池により処理された処理水が入る処理水流出設備とを備えた汚水処理装置おいて、
前記汚泥処理設備にあっては前記沈澱池から出た沈澱汚泥を貯溜する汚泥貯溜槽を備え、この汚泥貯溜槽内の沈澱汚泥を減量汚泥として前記汚水流入設備に戻す減量汚泥循環通路を備え、
前記沈澱池から出た沈澱汚泥を抑制汚泥として前記汚水流入設備に戻す抑制汚泥循環通路を備えた
ことを特徴とする汚水処理装置。
【請求項５】
前記汚水流入設備で前記抑制汚泥循環通路は、前記減量汚泥循環通路が接続された設備よりも上流側の設備に接続されているか、または、同じ設備に接続されていることを特徴とする請求項４に記載の汚水処理装置。
【請求項６】
活性汚泥を利用した曝気槽と、この曝気槽に入るまでの汚水を処理する汚水流入設備と、この曝気槽から出た混合液が直接的にまたは間接的に入る沈澱池と、この沈澱池により処理された沈澱汚泥が入る汚泥処理設備と、この沈澱池により処理された処理水が入る処理水流出設備とを備えた汚水処理装置おいて、前記沈澱池から出た沈澱汚泥を抑制汚泥として前記汚水流入設備に戻す循環通路を備えたことを特徴とする汚水処理装置。
【請求項７】
汚水流入設備から曝気槽に入った汚水を活性汚泥を利用して処理し、この曝気槽から出た混合液が直接的にまたは間接的に入る沈澱池により処理された沈澱汚泥を抑制汚泥として前記汚水流入設備に戻すことを特徴とする汚水処理方法。
【請求項８】
前記汚水流入設備にあって曝気槽に入る前の設備と、前記汚泥処理設備にあって前記沈澱池から出た沈澱汚泥を貯溜する汚泥貯溜槽とこの沈澱池との間の設備とのうち、少なくとも一方の設備に廃棄物投入口を設けたことを特徴とする請求項１または請求項４または請求項５または請求項６に記載の汚水処理装置。
【発明の詳細な説明】
【技術分野】
【０００１】
本発明は、活性汚泥を利用した曝気槽を備えた汚水処理装置、その汚水処理装置による汚水処理方法に関するものである。
【背景技術】
【０００２】
図９に示す従来の汚水処理装置は、活性汚泥を利用した曝気槽１と、この曝気槽１に入るまでの汚水を処理する汚水流入設備２と、この曝気槽１から出た混合液が直接的にまたは間接的に入る最終沈澱池３と、この最終沈澱池３により処理された沈澱汚泥が入る汚泥処理設備４と、この最終沈澱池３により処理された処理水が入る処理水流出設備５とを備えている。
【発明の開示】
【発明が解決しようとする課題】
【０００３】
従来の汚水処理装置は、下記＊の問題点を有している。
＊  前記汚泥処理設備４の汚泥貯溜槽１１から出る貯溜汚泥の全部に対し汚泥処理１２を行っていたので、汚泥処理１２の負担が大きくなり、汚泥処理設備４を大型化しなければならない。
【０００４】
＊  前記汚水流入設備２からの流入汚水６を前記曝気槽１でのみ曝気処理するので、単位時間あたりの曝気能力（活性能力）が低下して汚泥の発生を抑制することが困難となり、曝気槽１や最終沈澱池３や汚泥処理設備４を大型化しなければならない。
【０００５】
＊  前記汚水流入設備２や前記曝気槽１や前記最終沈澱池３や前記汚泥処理設備４において汚泥の結合度が劣ると、汚泥処理負担が大きくなり、曝気槽１や最終沈澱池３や汚泥処理設備４を大型化しなければならない。
【０００６】
本発明は、上記問題点を解決して汚水処理装置を簡略化することを目的にしている。
【課題を解決するための手段】
【０００７】
後記実施形態の図面（図１〜８）の符号を援用して本発明を説明する。
＊  請求項１の発明及び請求項２の発明（図４，５，６，７を参照）
請求項１の発明にかかる汚水処理装置は、下記のように構成されている。
【０００８】
この汚水処理装置は、活性汚泥を利用した曝気槽（１）と、この曝気槽（１）に入るまでの汚水を処理する汚水流入設備（２）と、この曝気槽（１）から出た混合液が直接的にまたは間接的に入る沈澱池（３）と、この沈澱池（３）により処理された沈澱汚泥が入る汚泥処理設備（４）と、この沈澱池（３）により処理された処理水が入る処理水流出設備（５）とを備えている。前記汚泥処理設備（４）にあっては前記沈澱池（３）から出た沈澱汚泥を貯溜する汚泥貯溜槽（１１）を備え、この汚泥貯溜槽（１１）内の沈澱汚泥を減量汚泥として前記汚水流入設備（２）に戻す循環通路（３１）を備えている。
【０００９】
請求項２の発明にかかる汚水処理方法は、下記のように構成されている。
汚水流入設備（２）から曝気槽（１）に入った汚水を活性汚泥を利用して処理し、この曝気槽（１）から出た混合液が直接的にまたは間接的に入る沈澱池（３）により処理された沈澱汚泥を汚泥処理設備（４）の汚泥貯溜槽（１１）で貯溜した後、この汚泥貯溜槽（１１）内の沈澱汚泥を減量汚泥として前記汚水流入設備（２）に戻す。
【００１０】
これらの発明では、活性化された沈澱汚泥が汚泥処理設備（４）の汚泥貯溜槽（１１）を通って汚水流入設備（２）に戻るので、汚泥貯溜槽（１１）に入った活性化沈澱汚泥のうち、この汚泥貯溜槽（１１）で液状化された汚泥が減量汚泥として汚水流入設備（２）で再処理され、汚泥貯溜槽（１１）に残った貯溜汚泥は汚泥処理される。従って、活性化沈澱汚泥から分離された減量汚泥を循環させるだけの簡単な汚泥処理設備（４）により、汚泥貯溜槽（１１）から出る貯溜汚泥を減量することができる。
【００１１】
＊  請求項３の発明（図４，５，６，７を参照）
この発明においては、請求項２の発明にかかる汚泥処理設備（４）の汚泥貯溜槽（１１）内に空気を強制導入する。この発明では、この空気により汚泥貯溜槽（１１）内で液状化された減量汚泥を生成し易くなるので、請求項２の発明の効果を助長する。
【００１２】
＊  請求項４の発明（図６，７を参照）
請求項４の発明にかかる汚水処理装置は、下記のように構成されている。
この汚水処理装置は、活性汚泥を利用した曝気槽（１）と、この曝気槽（１）に入るまでの汚水を処理する汚水流入設備（２）と、この曝気槽（１）から出た混合液が直接的にまたは間接的に入る沈澱池（３）と、この沈澱池（３）により処理された沈澱汚泥が入る汚泥処理設備（４）と、この沈澱池（３）により処理された処理水が入る処理水流出設備（５）とを備えている。前記汚泥処理設備（４）にあっては前記沈澱池（３）から出た沈澱汚泥を貯溜する汚泥貯溜槽（１１）を備え、この汚泥貯溜槽（１１）内の沈澱汚泥を減量汚泥として前記汚水流入設備（２）に戻す減量汚泥循環通路（３１）を備えている。前記沈澱池（３）から出た沈澱汚泥を抑制汚泥として前記汚水流入設備（２）に戻す抑制汚泥循環通路（２８，２９）を備えている。
【００１３】
この発明では、請求項１の発明の効果に加え、活性化された沈澱汚泥が汚水流入設備（２）に戻るので、流入汚水（６）が曝気槽（１）に至る前処理段階である汚水流入設備（２）でも、この活性化沈澱汚泥により流入汚水（６）に対する曝気作用を生じ、汚水流入設備（２）での予備的曝気処理と曝気槽（１）での本来的曝気処理とを行い、活性化沈澱汚泥を循環させるだけの簡単な設備により、単位時間あたりの曝気能力（活性能力）を高めて汚泥の発生を抑制することができる。従って、減量汚泥と抑制汚泥との相乗効果により、汚水処理装置において途中処理段階や最終処理段階で発生する各種汚泥を少なくして汚泥処理負担を軽減し得るので、汚水処理装置をより一層簡略化することができる。
【００１４】
＊  請求項５の発明（図６，７を参照）
この発明は、請求項４の発明を前提として下記のように構成されている。
前記汚水流入設備（２）で前記抑制汚泥循環通路（２８，２９）は、前記減量汚泥循環通路（３１）が接続された設備（８ａ，８ｂ）よりも上流側の設備（７）に接続されているか、または同じ設備（８ａ，８ｂ）に接続されている。従って、この発明では、請求項４の発明の効果に加え、汚水流入設備（２）において前記減量汚泥が前記流入汚水（６）に加わって前記抑制汚泥による予備的曝気処理を助長し、単位時間あたりの曝気能力（活性能力）を高めて汚泥の発生をより一層抑制することができる。
【００１５】
＊  請求項６の発明及び請求項７の発明（図１〜３，６，７を参照）
請求項６の発明にかかる汚水処理装置は、下記のように構成されている。
この汚水処理装置は、活性汚泥を利用した曝気槽（１）と、この曝気槽（１）に入るまでの汚水を処理する汚水流入設備（２）と、この曝気槽（１）から出た混合液が直接的にまたは間接的に入る沈澱池（３）と、この沈澱池（３）により処理された沈澱汚泥が入る汚泥処理設備（４）と、この沈澱池（３）により処理された処理水が入る処理水流出設備（５）とを備えている。前記沈澱池（３）から出た沈澱汚泥を抑制汚泥として前記汚水流入設備（２）に戻す循環通路（２８，２９）を備えている。例えば、この循環通路（２８，２９）としては、この沈澱汚泥が前記汚泥処理設備（４）例えばその汚泥分配槽（１０）または汚泥分配槽（１０）及び濃縮槽（３０）を通って汚水流入設備（２）例えばそのマンホール（７）やポンプ井（８ａ）または沈砂池（８ｂ）に戻る場合と、この沈澱汚泥が前記汚泥処理設備（４）を通らずに汚水流入設備（２）例えばそのマンホール（７）やポンプ井（８ａ）または沈砂池（８ｂ）に戻る場合とがある。
【００１６】
請求項７の発明にかかる汚水処理方法は、下記のように構成されている。
汚水流入設備（２）から曝気槽（１）に入った汚水を活性汚泥を利用して処理し、この曝気槽（１）から出た混合液が直接的にまたは間接的に入る沈澱池（３）により処理された沈澱汚泥を抑制汚泥として前記汚水流入設備（２）に戻す。
【００１７】
これらの発明では、活性化された沈澱汚泥が汚水流入設備（２）に戻るので、流入汚水（６）が曝気槽（１）に至る前処理段階である汚水流入設備（２）でも、この活性化沈澱汚泥により流入汚水（６）に対する曝気作用を生じ、汚水流入設備（２）での予備的曝気処理と曝気槽（１）での本来的曝気処理とを行う。従って、活性化沈澱汚泥を循環させるだけの簡単な設備により、単位時間あたりの曝気能力（活性能力）を高めて汚泥の発生を抑制することができる。
【００１８】
＊  請求項８の発明（図６，７を参照）
請求項８の発明にかかる汚水処理装置は、請求項１または請求項４または請求項５または請求項６の発明を前提として下記のように構成されている。
【００１９】
前記汚水流入設備（２）にあって曝気槽（１）に入る前の設備（９）と、前記汚泥処理設備（４）にあって前記沈澱池（３）から出た沈澱汚泥を貯溜する汚泥貯溜槽（１１）とこの沈澱池（３）との間の設備（１０，１１）とのうち、少なくとも一方の設備（９，１０，１１）に廃棄物投入口（３３，３４，３５）を設けた。例えば、汚水流入設備（２）にあっては、曝気槽（１）に入る前で、且つ汚水曝気前処理部（８ａ，８ｂ）とこの曝気槽（１）との間にある設備（曝気槽１に対する汚水分配槽９）に、廃棄物投入口（３３）を設けた。例えば、汚泥処理設備（４）にあっては、汚泥貯溜槽（１１）または汚泥貯溜槽（１１）に対する汚泥分配槽（１０）に、廃棄物投入口（３４，３５）を設けた。
【００２０】
汚水流入設備（２）にあって曝気槽（１）に入る前の経路にある設備（例えば汚水分配槽９）で廃棄物を投入した場合には、繊維質となった廃棄物が曝気槽（１）から出た混合液に含まれる汚泥の結合度を高めて固水分離性を助長し、沈澱池（３）から出る処理水の量を増加させて沈澱汚泥を少なくすることができる。従って、汚泥処理負担を軽減し、汚水処理装置を簡略化することができる。
【００２１】
汚泥処理設備（４）にあって汚泥貯溜槽（１１）と沈澱池（３）との間の経路にある設備（例えば汚泥分配槽１０または汚泥貯溜槽１１）で廃棄物を投入した場合には、繊維質となった廃棄物が汚泥貯溜槽（１１）から出た貯溜汚泥に含まれる汚泥の結合度を高め、汚泥処理量を少なくすることができる。従って、汚泥処理負担を軽減し、汚水処理装置を簡略化することができる。
【発明の効果】
【００２２】
本発明は、汚水処理装置を簡略化することができる。
【発明を実施するための最良の形態】
【００２３】
以下、本発明の各実施形態を図１〜８を参照して説明する。
＜下記各実施形態の概要＞
図１に示す第１実施形態の１、図２に示す第１実施形態の２、図３に示す第１実施形態の３、図４に示す第２実施形態の１、図５に示す第２実施形態の２、図６に示す第３実施形態の１及び図７に示す第３実施形態の２に係る汚水処理装置は、いずれも、活性汚泥を利用した曝気槽１と、この曝気槽１に入るまでの汚水を処理する汚水流入設備２と、この曝気槽１から出た混合液が直接的にまたは間接的に入る最終沈澱池３と、この最終沈澱池３により処理された活性化沈澱汚泥が入る汚泥処理設備４と、この最終沈澱池３により処理された浄化処理水が入る処理水流出設備５とを備えている。なお、池と槽とは、設備の大小の相違はあるが、単なる表現上の差異であり、同一概念のものと解釈する。
【００２４】
＊  前記曝気槽１
この曝気槽１は、いずれの実施形態も同様であり、微生物等の作用を利用した活性汚泥法により汚水を処理し、汚水中にある沈澱しにくい汚泥や溶解性物質を沈澱汚泥に変える機能を有する。この曝気槽１は、このような曝気処理前に、汚水から微細な砂等を沈澱除去する初沈処理も含む場合もある。
【００２５】
＊  前記汚水流入設備２
図６に示す第３実施形態の１における汚水流入設備２では、流入汚水６がマンホール７を通ってポンプ井８ａまたは沈砂池８ｂに入り、その後、汚水分配槽９で分配されて複数の曝気槽１に供給される。
【００２６】
図２に示す第１実施形態の２、図３に示す第１実施形態の３、図５に示す第２実施形態の２及び図７に示す第３実施形態の２における汚水流入設備２では、流入汚水６がポンプ井８ａまたは沈砂池８ｂに入り、その後、曝気槽１に供給される。
【００２７】
図１に示す第１実施形態の１及び図４に示す第２実施形態の１における汚水流入設備２では、流入汚水６がマンホール７を通ってポンプ井８ａまたは沈砂池８ｂに入り、その後、曝気槽１に供給される。
【００２８】
＊  前記汚泥処理設備４
図１に示す第１実施形態の１、図３に示す第１実施形態の３、図６に示す第３実施形態の１及び図７に示す第３実施形態の２における汚泥処理設備４では、前記最終沈澱池３から出た沈澱汚泥が汚泥分配槽１０で分配されて複数の汚泥貯溜槽１１に供給され、その後、この各汚泥貯溜槽１１から出た貯溜汚泥が汚泥処理１２（例えば脱水処理）を経て瀘液１３と脱水ケーキ１４とに分けられる。この瀘液１３は例えば液体肥料に利用され、この脱水ケーキ１４は例えば固体肥料に利用される。また、前記最終沈澱池３から出た沈澱汚泥は、汚泥分配槽１０を通さずに直接、各汚泥貯溜槽１１に供給されるとともに、前記汚水流入設備２の汚水分配槽９または前記曝気槽１に返送汚泥として戻される。その場合、この返送汚泥の量と、汚泥分配槽１０に供給される沈澱汚泥の量と、汚泥貯溜槽１１に供給される沈澱汚泥の量とは、適宜調節される。
【００２９】
図２に示す第１実施形態の２及び図５に示す第２実施形態の２における汚泥処理設備４では、前記最終沈澱池３から出た沈澱汚泥が汚泥分配槽１０で分配されて複数の濃縮槽１５に供給され、この各濃縮槽１５から出た濃縮汚泥が複数の汚泥貯溜槽１１に供給される。また、前記最終沈澱池３から出た沈澱汚泥は、汚泥分配槽１０を通さずに直接、各汚泥貯溜槽１１に供給されるとともに、前記曝気槽１に返送汚泥として戻される。そのほかは、図１に示す第１実施形態の１等の場合と同様である。
【００３０】
図４に示す第２実施形態の１における汚泥処理設備４では、前記最終沈澱池３から出た沈澱汚泥が、汚泥貯溜槽１１に供給されるとともに、前記曝気槽１に返送汚泥として戻される。そのほかは、図１に示す第１実施形態の１等の場合と同様である。
【００３１】
＊  前記処理水流出設備５
この処理水流出設備５では、いずれの実施形態でも、前記最終沈澱池３から出た処理水が、放流水路１６で消毒等された後、河川等に放流水１７として排出される。
【００３２】
＜図１、図２及び図３に示す各実施形態の改良構成＞
この各実施形態では、前記汚泥処理設備４及び前記汚水流入設備２と関連して下記の改良を加えている。
【００３３】
図１では、前記最終沈澱池３から出た沈澱汚泥が、循環通路２８により、前記汚泥処理設備４の汚泥分配槽１０から前記汚水流入設備２のマンホール７に抑制汚泥として戻されているとともに、循環通路２９により、前記汚泥処理設備４を通らずに前記汚水流入設備２のマンホール７に抑制汚泥として戻されている。図２では、前記最終沈澱池３から出た沈澱汚泥が、循環通路２８により、前記汚泥処理設備４の汚泥分配槽１０から前記汚水流入設備２のポンプ井８ａまたは沈砂池８ｂに抑制汚泥として戻されているとともに、循環通路２９により、前記汚泥処理設備４を通らずに前記汚水流入設備２のポンプ井８ａまたは沈砂池８ｂに抑制汚泥として戻されている。図３では、前記最終沈澱池３から出た沈澱汚泥が、循環通路２８により、前記汚泥処理設備４の汚泥分配槽１０から濃縮槽３０を通って前記汚水流入設備２のポンプ井８ａまたは沈砂池８ｂに抑制汚泥として戻されているとともに、循環通路２９により、前記汚泥処理設備４を通らずに前記汚水流入設備２のポンプ井８ａまたは沈砂池８ｂに抑制汚泥として戻されている。なお、最終沈澱池３から循環通路２９に供給される沈澱汚泥の量は、汚泥分配槽１０及び汚泥貯溜槽１１に供給される沈澱汚泥の量や、曝気槽１に戻される返送汚泥の量とともに、適宜調節される。
【００３４】
＜図４及び図５に示す各実施形態の改良構成＞
この各実施形態では、前記汚泥処理設備４及び前記汚水流入設備２と関連して下記の改良を加えている。
【００３５】
図４では、前記汚泥貯溜槽１１内の貯溜汚泥が、循環通路３１により、この汚泥貯溜槽１１から前記汚水流入設備２のマンホール７に減量汚泥として戻されている。図５では、前記汚泥貯溜槽１１内の貯溜汚泥が、循環通路３１により、この汚泥貯溜槽１１から前記汚水流入設備２のポンプ井８ａまたは沈砂池８ｂに減量汚泥として戻されている。この汚泥貯溜槽１１内には圧縮空気３２が強制導入されている。
【００３６】
＜図６，８及び図７，８に示す各実施形態の改良構成＞
この各実施形態は、前述した図１、図２及び図３に示す各実施形態の改良構成と、前述した図４及び図５に示す各実施形態の改良構成とをすべて含む。
【００３７】
また、前記処理水流出設備５と関連して下記の改良を加えている。
前記最終沈澱池３により処理された処理水が分岐通路１８から流入するハーブ水路１９を備えている。このハーブ水路１９は、ハーブ２０を植生させた流水溝２１と、この流水溝２１の上流側に接続した魚槽２２とを備えている。この流水溝２１は河川に近い構造になっており、汚水処理場で適宜距離だけ延設されている。このハーブ２０としては、日本ハッカとも言う和種ハッカを植生させ、そのほか洋種ハッカ（ペパーミントやスペアミントやキャットミントなど）を植生させてもよい。また、図示しないが、植生したハーブ２０以外に、ある程度加工したハーブを網に入れてこれを流水溝２１や魚槽２２に浸してもよい。この魚槽２２には分岐通路１８から処理水が流入して貯溜され、魚が飼われている。この魚槽２２から溢れ出た貯溜処理水が流水溝２１に流出する。この流水溝２１を処理水が緩やかに流れてハーブ２０と接触し、この処理水はハーブ２０の成分を吸収してハーブ含有水２３に変化する。このハーブ水路１９の流水溝２１から出たハーブ含有水２３は、循環通路２４により前記最終沈澱池３に戻されるか、循環通路２５により前記放流水路１６に戻されるか、または通路２６により清掃水等の散水２７として利用される。なお、最終沈澱池３から放流水路１６に供給される処理水の量と、最終沈澱池３からハーブ水路１９に供給される処理水の量と、ハーブ水路１９から最終沈澱池３に戻されるハーブ含有水２３の量と、ハーブ水路１９から放流水路１６に戻されるハーブ含有水２３の量とは、適宜調節される。
【００３８】
さらに、前記汚水流入設備２及び前記汚泥処理設備４と関連して下記の改良を加えている。
汚水流入設備２にあっては、曝気槽１に入る前で、且つ汚水曝気前処理部としてのポンプ井８ａまたは沈砂池８ｂとこの曝気槽１との間にある汚水分配槽９に、廃棄物投入口３３が設けられている。汚泥処理設備４にあっては、最終沈澱池３から出た沈澱汚泥を貯溜する汚泥貯溜槽１１とこの最終沈澱池３との間で、汚泥分配槽１０に廃棄物投入口３４が設けられているとともに、汚泥貯溜槽１１に廃棄物投入口３５が設けられている。前記汚水分配槽９の廃棄物投入口３３と、前記汚泥分配槽１０の廃棄物投入口３４と、前記汚泥貯溜槽１１の廃棄物投入口３５とには、いずれも、紙類などの廃棄物をある程度細かくして投入する。前記汚泥貯溜槽１１の廃棄物投入口３５には、乾燥させた生ごみなどの廃棄物をある程度細かくして投入する。
【図面の簡単な説明】
【００３９】
【図１】第１実施形態の１にかかる汚水処理装置を示すブロック図である。
【図２】第１実施形態の２にかかる汚水処理装置を示すブロック図である。
【図３】第１実施形態の３にかかる汚水処理装置を示すブロック図である。
【図４】第２実施形態の１にかかる汚水処理装置を示すブロック図である。
【図５】第２実施形態の２にかかる汚水処理装置を示すブロック図である。
【図６】第３実施形態の１にかかる汚水処理装置を示すブロック図である。
【図７】第３実施形態の２にかかる汚水処理装置を示すブロック図である。
【図８】第３実施形態の１及び第３実施形態の２にかかる汚水処理装置においてハーブ水路を概略的に示す断面図である。
【図９】従来の汚水処理装置を示すブロック図である。
【符号の説明】
【００４０】
１…曝気槽、２…汚水流入設備、３…最終沈澱池、４…汚泥処理設備、５…処理水流出設備、７…マンホール（設備）、８ａ…ポンプ井（設備）、８ｂ…沈砂池（設備）、９…汚水分配槽（設備）、１０…汚泥分配槽（設備）、１１…汚泥貯溜槽（設備）、２８，２９…循環通路、３１…循環通路、３３，３４，３５…廃棄物投入口。
【図１】
2005161314.tif 000003
【図２】
2005161314.tif 000004
【図３】
2005161314.tif 000005
【図４】
2005161314.tif 000006
【図５】
2005161314.tif 000007
【図６】
2005161314.tif 000008
【図７】
2005161314.tif 000009
【図８】
2005161314.tif 000010
【図９】
2005161314.tif 000011